(57)【要約】      （修正有）【課題】防水性を保持しつつ簡易な構造で小型化を図ることができるキーを有する携帯端末を提供する。【解決手段】第１貫通孔３１には、防水部材３３が筐体の内側から圧入されている。防水部材３３の内側では、スイッチ２８が、回路基板２７に実装されている。キー３０Ａは、第１貫通孔３１に挿入され防水部材３３を介してスイッチ２８を押圧する押し子３８と、押し子３８に対して平行であるとともに凹部３２に挿入される案内部３９とを有する。閂部材を筐体の内側から第２貫通孔に挿入することにより、キー３０Ａを係止するので、キー３０Ａは筐体の端面２２１の凹部３２から脱落しない。また、キー３０Ａを押すことにより、キー３０Ａの押し子３８が防水部材３３を介して筐体内の回路基板に実装されているスイッチ２８を押圧するので、防水性を確保できる。【選択図】図３
2015012563.tif 000002
【特許請求の範囲】
【請求項１】
扁平箱形状の筐体と、
前記筐体に収容される回路基板と、
前記筐体に収容され、前記筐体の外側に露呈する表示装置と、
前記表示装置の面方向に対して交差する前記筐体の端面に設けられ、前記筐体の内外を連通する第１貫通孔と、
前記第１貫通孔に隣り合う凹部と、
前記凹部の内側に設けられ、前記第１貫通孔の貫通方向に対して直交するとともに前記筐体の内外を連通する第２貫通孔と、
前記筐体の内側から前記第１貫通孔に圧入され、前記第１貫通孔の貫通孔方向に沿って変形可能な防水部材と、
前記回路基板に実装され、前記防水部材よりも前記筐体の内側において前記第１貫通孔の貫通方向に沿って押圧されることにより操作されるスイッチと、
前記第１貫通孔および前記凹部を外側から覆うように前記端面に設けられるキーと、
前記キーに設けられ、前記第１貫通孔に挿入されるとともに前記防水部材を介して前記スイッチを押圧する押し子と、
前記キーに設けられ、前記押し子に対して平行であるとともに前記凹部に挿入される案内部と、
前記案内部に設けられ、前記第２貫通孔よりも前記凹部の底部側において前記押し子の押圧方向および前記第２貫通孔の貫通方向に対して直交する方向に突出する係合部と、
前記筐体の内側から前記第２貫通孔に挿入され、前記係合部よりも前記凹部の開口側に配置される閂部材と、を備える携帯端末。
【請求項２】
請求項１に記載の携帯端末において、
前記防水部材は、前記第１貫通孔の内面に圧入される筒部と、前記筒部を軸通する軸部とを有し、
前記第２貫通孔に挿入された前記閂部材により前記係合部が前記底部側に移動され、前記筒部の一部を変形させながら前記押し子が前記スイッチに向けて前記軸部を押圧する携帯端末。
【請求項３】
請求項１または請求項２に記載の携帯端末において、
前記回路基板は、前記表示装置と平行な第１回路基板と、
前記第１回路基板に接続されるとともに前記スイッチが実装された軟質の第２回路基板とを有し、
前記第２回路基板は、前記第１回路基板に対して略垂直に配向されている携帯端末。
【発明の詳細な説明】
【技術分野】
【０００１】
本発明は、筐体の厚さ方向側面にキーを有する防水型の携帯端末に関するものである。
【背景技術】
【０００２】
従来、筐体の厚さ方向側面にキーを有する携帯端末で防水型のものが知られている（例えば、特許文献１参照）。
図１１に示すように、特許文献１に記載の携帯端末（携帯電話端末）１００は、フロントケースとリアケースを組み合わせ、その突き合わせ部分にＯリングを設けて、防水性を確保した箱状の筐体１０１を有する。
筐体１０１の厚さ方向側面には、防水性を有するスライドキー部１０２および押下ボタン部１０３が設けられている。
【０００３】
スライドキー部１０２は、筐体側面に設けられてゴム状の弾力性を有するスライドキーエラストマー部１０４およびスライドキートップ１０５を有する。スライドキートップ１０５と、スライドキーエラストマー部１０４との間には、ホルダ部１０７が配されている。
押下ボタン部１０３は、筐体側面に設けられてゴム状の弾力性を有する押下ボタンエラストマー部１０６および押下キートップ１０８を有する。
【０００４】
スライドキートップ１０５および押下キートップ１０８は、側板１０９を介して筐体１０１の側面に取り付けられる。スライドキートップ１０５は、側板１０９に設けられている嵌め込み部１１０に収容される。押下キートップ１０８は、側板１０９に押下げ可能に設けられている。
従って、スライドキートップ１０５をスライドさせると、スライドキートップ１０５の裏側に設けられている楔状部分（図示省略）がスライドキーエラストマー部１０４のドーム部１１１を押圧する。これにより、防水性を保持して、スライドキーをオン・オフすることができる。
また、押下キートップ１０８を押下げると、押下キートップ１０８が押下ボタンエラストマー部１０６を押下げる。これにより、防水性を保持して、押下ボタンをオン・オフすることができる。
【先行技術文献】
【特許文献】
【０００５】
【特許文献１】特開２００８−１０２８０号公報（第４図）
【発明の概要】
【発明が解決しようとする課題】
【０００６】
しかしながら、従来の携帯端末１００においては、防水性を保持しつつスライドキートップ１０５や押下キートップ１０８を移動可能に保持するために、ホルダ部１０７が設けられている。
このため、構造が複雑化するとともに、大型化を招くという問題があった。
【０００７】
本発明は、従来の問題を解決するためになされたもので、防水性を保持しつつ簡易な構造で小型化を図ることができるキーを有する携帯端末を提供することを目的とする。
【課題を解決するための手段】
【０００８】
本発明の携帯端末は、扁平箱形状の筐体と、前記筐体に収容される回路基板と、前記筐体に収容され、前記筐体の外側に露呈する表示装置と、前記表示装置の面方向に対して交差する前記筐体の端面に設けられ、前記筐体の内外を連通する第１貫通孔と、前記第１貫通孔に隣り合う凹部と、前記凹部の内側に設けられ、前記第１貫通孔の貫通方向に対して直交するとともに前記筐体の内外を連通する第２貫通孔と、前記筐体の内側から前記第１貫通孔に圧入され、前記第１貫通孔の貫通孔方向に沿って変形可能な防水部材と、前記回路基板に実装され、前記防水部材よりも前記筐体の内側において前記第１貫通孔の貫通方向に沿って押圧されることにより操作されるスイッチと、前記第１貫通孔および前記凹部を外側から覆うように前記端面に設けられるキーと、前記キーに設けられ、前記第１貫通孔に挿入されるとともに前記防水部材を介して前記スイッチを押圧する押し子と、前記キーに設けられ、前記押し子に対して平行であるとともに前記凹部に挿入される案内部と、前記案内部に設けられ、前記第２貫通孔よりも前記凹部の底部側において前記押し子の押圧方向および前記第２貫通孔の貫通方向に対して直交する方向に突出する係合部と、前記筐体の内側から前記第２貫通孔に挿入され、前記係合部よりも前記凹部の開口側に配置される閂部材と、を備えるものである。
【０００９】
また、本発明の携帯端末は、前記防水部材は、前記第１貫通孔の内面に圧入される筒部と、前記筒部を軸通する軸部とを有し、前記第２貫通孔に挿入された前記閂部材により前記係合部が前記底部側に移動され、前記筒部の一部を変形させながら前記押し子が前記スイッチに向けて前記軸部を押圧するものである。
【００１０】
さらに、本発明の携帯端末は、前記回路基板は、前記表示装置と平行な第１回路基板と、前記第１回路基板に接続されるとともに前記スイッチが実装された軟質の第２回路基板とを有し、前記第２回路基板は、前記第１回路基板に対して略垂直に配向されているものである。
【発明の効果】
【００１１】
本発明では、筐体の端面に、筐体の内外を連通する第１貫通孔と、第１貫通孔に隣り合う凹部と、凹部の内側に設けられて第１貫通孔の貫通方向に対して直交する方向に筐体の内外を連通する第２貫通孔が設けられている。第１貫通孔には、防水部材が筐体の内側から圧入されている。防水部材よりも筐体の内側には、スイッチが設けられている。キーは、第１貫通孔に挿入され防水部材を介してスイッチを押圧する押し子と、押し子に対して平行であるとともに凹部に挿入される案内部とを有し、第１貫通孔および凹部を外側から覆う。筐体の内側から第２貫通孔に閂部材を挿入することにより、キーを係止するので、キーは筐体の端面の凹部から脱落しない。また、キーを押すことにより、キーの押し子が防水部材を介して筐体内のスイッチを押圧する。これにより、防水性を保持しつつ簡易な構造で小型化を図ることができるキーを提供することができるという効果を有する携帯端末を提供できる。
【図面の簡単な説明】
【００１２】
【図１】本発明に係る実施形態の携帯端末の分解斜視図
【図２】ケース内面および回路基板を示す分解斜視図
【図３】ケースの立壁の外側に設けられているスイッチおよび立壁の内側に設けられている防水部材および第２回路基板を示す分解斜視図
【図４】（Ａ）はキー用窪みの正面図であり、（Ｂ）は（Ａ）中Ｂ−Ｂ位置におけるキー用窪みの断面図
【図５】（Ａ）は防水部材の斜視図であり、（Ｂ）は（Ａ）中Ｂ−Ｂ位置における防水部材の断面図
【図６】キーと閂部材との位置関係を示す分解斜視図
【図７】キーと第２回路基板のスイッチとの位置関係を示す斜視図
【図８】（Ａ）はキーをキー用窪みに取り付ける状態を示す押し子位置における断面図であり、（Ｂ）は案内部位置における断面図
【図９】（Ａ）はキーを閂部材によって係止した状態を示す押し子位置における断面図であり、（Ｂ）は案内部位置における断面図
【図１０】キーの変形例を示す分解斜視図
【図１１】従来の携帯端末におけるキーの分解斜視図
【発明を実施するための形態】
【００１３】
以下、本発明に係る実施形態の携帯端末について、図面を用いて説明する。
図１に示すように、実施形態の携帯端末１０は、扁平箱形状の筐体２０を有する。筐体２０は、カバー２１とケース２２により箱状に形成される。
なお、以下の説明においては、特に定義する場合を除き、カバー２１側を上（上方、上側）とし、ケース２２側を下（下方、下側）として説明することとする。
ケース２２のカバー２１と反対側面（下側面）には、表示装置２３がシール材２３１（図８および図９参照）を介して防水性を保持して取り付けられる。
【００１４】
カバー２１は矩形状を呈しており、外周縁に立壁２１１を有し、立壁２１１の先端（図１において下端）に開口部２１２を有する。
また、ケース２２はカバー２１に対応した矩形状を呈しており、外周縁に立壁（端面）２２１を有し、立壁２２１の先端（図１において上端）に開口部２２２を有する。
カバー２１の立壁２１１およびケース２２の立壁２２１の一方の内面には、カバー２１およびケース２２の相手側の内側に重なるような内壁（図示省略）が設けられている。これにより、カバー２１とケース２２とは、互いに嵌合して箱形状を形成する。
従って、筐体２０は、カバー２１の立壁２１１とケース２２の立壁２２１とを対面させ、カバー２１とケース２２との間にシール材２６（図８（Ａ）、図８（Ｂ）、図９（Ａ）、図９（Ｂ）参照）を介在させて、防水性を保持している。
【００１５】
筐体２０の内部には、カバー２１およびケース２２と平行すなわち表示装置２３と平行な平面状の第１回路基板２４と、第１回路基板２４と平行な平面状な放熱シート２５が収容されている。
図２および図３に示すように、ケース２２の内面２２３には、例えばＦＰＣ（Flexible Printed Circuits；フレキシブルプリント基板）からなる第２回路基板２７が第１回路基板２４に接続されて取り付けられている。
第２回路基板２７は、ケース２２と第１回路基板２４との間に配置されており、第１回路基板２４に直交する方向にスイッチ面２７１を有する。スイッチ面２７１には、スイッチ２８が実装される。
【００１６】
ケース２２の立壁２２１の外側面には、例えば長円形状のキー用窪み２９が凹設されている。キー用窪み２９には、長円形状のキー３０Ａが立壁２２１の厚み方向に移動可能に収容される。
図４（Ａ）および図４（Ｂ）に示すように、キー用窪み２９の中央には、ケース２２の内外を連通する第１貫通孔３１が設けられている。第１貫通孔３１は、防水部材３３がケース２２の内側から外側に向かって防水部材３３（図３参照）が圧入される大径部３１１と、大径部３１１からケース２２の外側に連続する小径部３１２を有する（図８（Ａ）参照）。
また、キー用窪み２９が設けられている立壁２２１の内側には、スイッチ面２７１を立壁２２１と平行に保持するために、一対の凸部４１と一対のリブ４２が、所定間隔離れて設けられている（図８（Ａ）および図９（Ａ）参照）。
【００１７】
図４（Ａ）および図４（Ｂ）に示すように、キー用窪み２９の外側面２９１における第１貫通孔３１の小径部３１２の左右（図４（Ａ）において左右）両側には、ケース２２の内側に凹む凹部３２が隣接して設けられている。
各凹部３２のカバー２１側（図４（Ａ）において上側）には、第１貫通孔３１の貫通方向に対して直交する方向、すなわち、凹部３２からカバー２１側に貫通する第２貫通孔３６が設けられている。
第２貫通孔３６は、凹部３２の底部３２１よりも開口側（外側）に設けられている。また、第２貫通孔３６は、ケース２２とカバー２１との間を防水するシール材２６よりも外側に設けられている（図８（Ａ）および図８（Ｂ）参照）。
従って、第２貫通孔３６は、ケース２２の防水性能を低下させない。
【００１８】
図５（Ａ）および図５（Ｂ）に示すように、防水部材３３は、軟質の筒部３４と硬質の軸部３５を一体的に成形したものである。
筒部３４は、円筒形状の円筒部３４１と、円筒部３４１の基端部に設けられている円板状のフランジ部３４２と、円筒部３４１の先端を塞ぐ蓋部３４３を有する。
円筒部３４１には、第１貫通孔３１の大径部３１１の内径よりも大きい外径を有する膨径部３４４が設けられている。
【００１９】
軸部３５は、筒部３３１の蓋部３４３の中央を貫通して設けられており、硬質に形成されているので、軸方向に押圧力が作用しても軸部３５自身は変形しない。
軸部３５は筒部３４と一体成形されているので、軸部３５と筒部３４との境界の防水性は確保されている。
なお、軸部３５の内側端面３５１は、筒部３４のフランジ部３４２の底面よりも内側（図５（Ｂ）中Ｄ参照）にあり、筒部３４から突出していない。
【００２０】
従って、防水部材３３を第１貫通孔３１の大径部３１１に装着する際には、筒部３４の膨径部３４４を径方向に押し縮めながら第１貫通孔３１に押し込む。
これにより、防水部材３３の装着後に、筒部３４の膨径部３４４が拡張して第１貫通孔３１の大径部３１１の内面に押し付けられて密着するので、第１貫通孔３１の防水性を確保できる。
なお、防水部材３３は、蓋部３４３が第１貫通孔３１の貫通方向に変形可能であるため、軸部３５は軸方向に移動可能となっている（図５（Ｂ）中矢印Ｃ方向）。
また、一対の凸部４１と一対のリブ４２との間にスイッチ面２７１を取り付けると、スイッチ２８は、第１貫通孔３１に圧入された防水部材３３の軸部３５の内側端面３５１に対向するように配置される（図７および図８（Ａ）参照）。
【００２１】
図３および図６に示すように、キー用窪み２９に収容されるキー３０Ａは、長円形状のキートップ部３７を有する。キートップ部３７の内側面の中央には、内側に向かって断面円形の棒状部材である押し子３８が設けられている。
また、キートップ部３７の内側面の左右両端部には、内側に向かって案内部３９が設けられている。両案内部３９は、押し子３８と平行な案内壁３９１と、案内壁３９１の先端からキートップ部３７と平行に互いに近づく方向に延びる係合部３９２を有する。
係合部３９２の先端には、キー３０Ａの内側に突出する係止突起３９３が設けられている。また、係合部３９２上面におけるキー３０Ａの内側（図６において外側）の角部は、角切されて傾斜面３９４が設けられている（図８（Ｂ）参照）。
【００２２】
キー３０Ａの押し子３８は第１貫通孔３１の小径部３１２に収容され、案内壁３９１は、キー用窪み２９の凹部３２に収容される。キー３０Ａは、閂部材４３により、キー用窪み２９から脱落しないように係止される。
図６に示すように、閂部材４３は、全体コ字形状を呈しており、対向する一対のアーム４３１と、一対のアーム４３１を連結する連結部４３２を有する。アーム４３１の先端には、内側に突出する係止突起４３３が設けられている。
【００２３】
次に、キー３０Ａおよびスイッチ２８の取付作業について説明する。
まず、図３および図８（Ａ）に示すように、防水部材３３の筒部３４を、ケース２２の内側から第１貫通孔３１の大径部３１１に圧入する（図３中矢印Ａ参照）。
筒部３４のフランジ部３４２がケース２２の内面に当接し、膨径部３４４が第１貫通孔３１の大径部３１１の内面を確実に押圧するようにして、第１貫通孔３１における防水性を確実にする。
【００２４】
次いで、ケース２２の立壁２２１の内側の凸部４１とリブ４２との間に、第２回路基板２７のスイッチ面２７１を挿入して取り付ける（図３中矢印Ｂ参照）。このとき、防水部材３３の軸部３５が筒部３４から突出していないので、スイッチ面２７１を取り付ける際に、スイッチ２８は軸部３５と干渉しない。このため、スイッチ面２７１の取付時に防水部材３３がめくれるのを回避できるので、組立作業性が良い。
これにより、スイッチ面２７１のスイッチ２８が、防水部材３３の軸部３５の内側端面３５１に対向する（図８（Ａ）参照）。
【００２５】
次に、キー３０Ａの押し子３８を第１貫通孔３１の小径部３１２に嵌入し、案内部３９がキー用窪み２９の凹部３２に挿入されるように、キー３０Ａをキー用窪み２９に嵌める（図３中矢印Ｃ参照）。
このとき、押し子３８の先端面３８１が、防水部材３３の軸部３５の外側端面３５２に対向する（図８（Ａ）参照）。また、案内部３９の係合部３９２は、キー用窪み２９の凹部３２において、傾斜面３９４の少なくとも一部が第２貫通孔３６の真下に位置するようにする（図８（Ｂ）参照）。
【００２６】
次に、図６および図９に示すように、閂部材４３の一対のアーム４３１を、ケース２２の上方から左右の第２貫通孔３６にそれぞれ挿入する（図６中矢印Ｄ参照）。
図９（Ｂ）に示すように、アーム４３１は、第２貫通孔３６からキー用窪み２９の凹部３２に挿入される。このとき、アーム４３１の先端面４３４が、キー３０Ａの係合部３９２の上端の傾斜面３９４に当接する。
さらに閂部材４３を押し込むと、アーム４３１が傾斜面３９４に沿って滑りながら挿入される。
【００２７】
これにより、キー３０Ａは、凹部３２の底部３２１側に移動させられ、閂部材４３のアーム４３１がキー３０Ａの案内部３９の係合部３９２の内側面に当接する。これにより、キー３０Ａは、キー用窪み２９から脱落しないように係止される（図９（Ｂ）参照）。
また、キー３０Ａが凹部３２の底部３２１側に移動して、押し子３８の先端面３８１が防水部材３３の軸部３５の外側端面３５２に当接して押し込むので、軸部３５の内側端面３５１がスイッチ２８に近づいて対向する（図９（Ａ）参照）。
最後に、カバー２１をケース２２に被せる。
【００２８】
次に、携帯端末１０の作用効果について説明する。
図１に示すように、扁平箱形状の筐体２０には第１回路基板２４、第２回路基板２７が収容され、表示装置２３が筐体２０の外側に露呈している。
図３に示すように、筐体２０において表示装置２３の面方向に対して交差する立壁２２１には、筐体２０の内外を連通する第１貫通孔３１と、第１貫通孔３１に隣り合う凹部３２とが設けられている。
図４（Ａ）に示すように、凹部３２には、第１貫通孔３１の貫通方向に対して直交する方向に筐体２０の内外を連通する第２貫通孔３６が設けられている。
図８（Ａ）および図９（Ａ）に示すように、第１貫通孔３１の大径部３１１には、第１貫通孔３１の貫通孔方向に沿って変形可能な防水部材３３が、筐体２０の内側から圧入されている。防水部材３３よりも筐体２０の内側には、第１貫通孔３１の貫通方向に沿って押圧されることにより操作されるスイッチ２８が、第２回路基板２７に実装されている。
【００２９】
図６に示すように、キー３０Ａは、第１貫通孔３１に挿入されるとともに防水部材３３を介してスイッチ２８を押圧する押し子３８と、押し子３８に対して平行であるとともに凹部３２に挿入される案内部３９とを有する。キー３０Ａは、第１貫通孔３１および凹部３２を外側から覆うように筐体２０の立壁２２１に設けられている。
キー３０Ａの案内部３９には、第２貫通孔３６よりも凹部３２の底部３２１側において押し子３８の押圧方向および第２貫通孔３６の貫通方向に対して直交する方向に突出する係合部３９２が設けられている。
図９（Ａ）および図９（Ｂ）に示すように、筐体２０の内側から第２貫通孔３６に挿入され、係合部３９２よりも凹部３２の開口側に配置される閂部材４３が設けられている。
【００３０】
従って、閂部材４３を筐体２０の内側から第２貫通孔３６に挿入することにより、キー３０Ａの案内部３９に設けられている係合部３９２を係止するので、キー３０Ａは筐体２０の立壁２２１のキー用窪み２９から脱落しない。また、キー３０Ａを押すことにより、キー３０Ａの押し子３８が防水部材３３を介して筐体２０内の第２回路基板２７に実装されているスイッチ２８を押圧する。
これにより、防水性を保持しつつ簡易な構造で小型化を図ることができるキー３０Ａを有する携帯端末１０を提供することができる。
【００３１】
また、携帯端末１０では、図５（Ａ）および図５（Ｂ）に示すように、防水部材３３は、第１貫通孔３１の内面に圧入される筒部３４と、筒部３４を軸通する軸部３５とを有する。閂部材４３を凹部３２の第２貫通孔３６に挿入すると、キー３０Ａの係合部３９２が凹部３２の底部３２１側に移動され、キー３０Ａの押し子３８が、筒部３４の一部を変形させながら軸部３５をスイッチ２８に向けて押圧する。
これにより、キー３０Ａを押圧することにより、キー３０Ａの押し子３８が防水部材３３の軸部３５をスイッチ２８に押し付けるので、防水性を保持して、スイッチ２８を切り替えることができる。
【００３２】
さらに、携帯端末１０では、図２に示すように、回路基板は、表示装置２３と平行な第１回路基板２４と、第１回路基板２４に接続されるとともにスイッチ２８が実装された軟質の第２回路基板２７とを有する。第２回路基板２７は、第１回路基板２４に対して略垂直に配向されている。
これにより、第２回路基板２７に、キー３０Ａの押圧方向と直交する方向にスイッチ２８を実装することができる。
【００３３】
本発明の携帯端末は、前述した実施形態に限定されるものでなく、適宜な変形、改良等が可能である。
例えば、前述した実施形態においては、キー３０Ａにおいて、案内部３９をキートップ部３７の端部に設けて、案内部３９の先端からキートップ部３７と平行に互いに近づく方向に係合部３９２を設けた場合を例示した。
本発明は、図１０に示すキー３０Ｂのように、案内部３９をキートップ部３７の端部よりも内側設けて、案内部３９の先端からキートップ部３７と平行に互いに遠ざかる方向に係合部３９２を設けることも可能である。
【符号の説明】
【００３４】
１０  携帯端末
２０  筐体
２２１  立壁（筐体の端面）
２３  表示装置
２４  第１回路基板（回路基板）
２７  第２回路基板（回路基板）
２８  スイッチ
３０  キー
３１  第１貫通孔
３２  凹部
３２１  底部
３３  防水部材
３４  筒部
３５  軸部
３６  第２貫通孔
３８  押し子
３９  案内部
３９２  係合部
４３  閂部材
【図１】
2015012563.tif 000003
【図２】
2015012563.tif 000004
【図３】
2015012563.tif 000005
【図４】
2015012563.tif 000006
【図５】
2015012563.tif 000007
【図６】
2015012563.tif 000008
【図７】
2015012563.tif 000009
【図８】
2015012563.tif 000010
【図９】
2015012563.tif 000011
【図１０】
2015012563.tif 000012
【図１１】
2015012563.tif 000013